【事件の表示】
　上記当事者間の特許第５８４７９０４号発明「美容器」の特許無効審判事件について，次のとおり審決する。
【結　論】
　本件審判の請求は，成り立たない。
　審判費用は，請求人の負担とする。
【理　由】
第１　手続の経緯
　本件特許第５８４７９０４号の請求項１乃至２に係る発明についての出願は，平成２３年１１月１６日に出願した特願２０１１−２５０９１５号の一部を平成２６年９月２６日に新たな特許出願としたものであって，平成２７年１２月４日に特許権の設定登録（請求項の数２）がされたものである。
　そして，平成３０年７月２４日に株式会社ファイブスターより請求項１乃至２に係る特許について特許無効審判が請求され，同年１０月２３日付けで被請求人株式会社ＭＴＧより答弁書が提出された。
　同年１１月３０日付けで審理事項通知書が通知され，同年１２月２５日付けで請求人より口頭審理陳述要領書が提出され，平成３１年１月４日付けで被請求人より口頭審理陳述要領書が提出され，同年１月１０日付けで再度審理事項通知書が通知され，同年１月２３日付けで被請求人より口頭審理陳述要領書２が提出され，同年１月２３日差出で請求人より口頭審理陳述要領書が提出され，同年１月２３日に口頭審理が行われ，同年２月２５日付けで被請求人より上申書が提出された。
第２　本件特許発明
　本件特許の請求項１乃至２に係る発明は，願書に添付された特許請求の範囲の請求項１乃至２に記載された事項より特定される，次のとおりのものである。
「【請求項１】
　基端においてハンドルに抜け止め固定された支持軸と，
　前記支持軸の先端側に回転可能に支持された回転体とを備え，その回転体により身体に対して美容的作用を付与するようにした美容器において，
　前記回転体は基端側にのみ穴を有し，回転体は，その内部に前記支持軸の先端が位置する非貫通状態で前記支持軸に軸受け部材を介して支持されており，
　軸受け部材は，前記回転体の穴とは反対側となる先端で支持軸に抜け止めされ，
　前記軸受け部材からは弾性変形可能な係止爪が突き出るとともに，軸受け部材は係止爪の前記基端側に鍔部を有しており，同係止爪は前記先端側に向かうほど軸受け部材における回転体の回転中心との距離が短くなる斜面を有し，
　前記回転体は内周に前記係止爪に係合可能な段差部を有し，前記段差部は前記係止爪の前記基端側に係止されるとともに前記係止爪と前記鍔部との間に位置することを特徴とする美容器。」（以下，「本件特許発明１」という。）
「【請求項２】
　前記軸受け部材は合成樹脂製であることを特徴とする請求項１に記載の美容器。」（以下，「本件特許発明２」という。）
 第３　当事者の主張の概要
１．請求人の主張の概要
　本件特許の請求項１及び２に係る発明は，甲第１号証に記載された発明に甲第２号証の１に記載された事項，及び，甲第３号証ないし甲第５号証のいずれかに記載された事項を適用することにより，原出願前に当業者が容易に発明をすることができたものであるから，特許法第２９条第２項の規定により特許を受けることができないものであり，その特許は同法第１２３条第１項第２号に該当し，無効とすべきである。
　審判費用は被請求人の負担とする，との審決を求めている。 　
証拠方法
甲第１号証：特開平２−１０４３５９号公報
甲第２号証の１：米国特許出願公開第２０１０／０１９１１６１号明細書
甲第２号証の２：米国特許出願公開第２０１０／０１９１１６１号明細書の翻訳文
甲第２号証の３：翻訳にあたってのコメント
甲第３号証：登録実用新案第３０３６８９８号公報
甲第４号証：登録実用新案第３１６６２０２号公報
甲第５号証：国際公開第２０１１／００４６２７号
甲第６号証：平成３０年（行ケ）第１００４８号準備書面（２）
甲第８号証：実願平１−４３０８８号（実開平２−１３５０２６号）のマイクロフィルム
甲第９号証：実願平２−４０３５０３号（実開平８−１５９号）のＣＤ−ＲＯＭ
甲第１０号証：実願平２−２６６０３号（実開平３−１１６８３６号）のマイクロフィルム
２．被請求人の主張の概要
　被請求人は，本件審判請求は成り立たない，審判費用は請求人の負担とする，との審決を求めている。
　被請求人の主張の概要は以下のとおり。
・請求人による甲１発明の認定，本件特許発明１と甲１発明の対比，相違点の容易想到性の判断はいずれも誤っている。
・甲１発明の弾性変形可能なローラー１，１０１，１０２に係止するための構成として，甲２の１の変形しないモジュール１３０，１４０に係止するための構成である弾性変形可能とした突起２０５を有するラッチアームの構成を適用する動機付けは全くなく，むしろ阻害要因がある。
証拠方法
乙第１号証：平成３０年（行ケ）第１００４８号判決
乙第２号証：平成３０年（行ケ）第１００４９号判決
第４　当審の判断
１．甲第１号証乃至甲第６号証，甲第８号証乃至甲第１０号証の記載事項
（１）甲第１号証
　本件特許の原出願前に頒布された刊行物である甲第１号証（特開平２−１０４３５９号公報）には，「素肌用ローラー」に関し，図面とともに以下の事項が記載又は示されている（下線部は，当審にて付与した。以下同様。）。
ア．「【特許請求の範囲】
（１）
複数の吸盤用凹部を配設した弾性材料から成るローラー
・・・
（５）複数の吸盤用凹部を配設した弾性材料から成るローラーを把持部に対して回転かつ着脱自在に取り付けることにより構成したことを特徴とする素肌用ローラー。
・・・
（９）ジメチルポリシロキサン，その他のシリコーンから成るローラー本体の外周面に複数の吸盤用凹部を配設した左右一対のローラーとこの左右一対のローラーを回転自在に支持する左右一対の回転軸を備える把持部とから構成したことを特徴とする素肌用ローラー。
・・・
（１２）ジメチルポリシロキサン，その他のシリコーンから成るローラー本体の外周面に複数の吸盤用凹部を配設した左右一対のローラーとこの左右一対のローラーを回転かつ着脱自在に支持する左右一対の回転軸を備える把持部とから構成したことを特徴とする素肌用ローラー。
・・・」（特許請求の範囲）
イ．「〔産業上の利用分野〕
　本発明は
素肌の洗浄，マッサージ等に使用する素肌用ローラー
ウ．「〔発明が解決しようとする課題〕
　従って，現在化粧料の作用効果に頼られている素肌美容の要望に答えるべく，本願発明に於いては，
マツサージ効果
素肌に対する
洗浄
小ジワのばし
〔課題を解決するための手段〕
　本発明素肌用ローラーは，複数の吸盤用凹部を配設した弾性材料から成るローラーを把持部に対して回転自在に取り付けることにより構成したことを特徴とする，また，かかる構成に於けるローラーの取り付け構造を回転かつ着脱自在に構成したことを特徴とするのが，その第２発明であり，さらに，ジメチルポリシロキサン，その他のシリコーンから成るローラー本体の外周面に複数の吸盤用凹部を配設した左右一対のローラーとこの左右一対のローラーを回転自在に支持する左右一対の回転軸を備える把持部とから構成したことを特徴とする第３発明に加えて，かかる第３発明の構成に於ける一対のローラーを把持部の左右一対の回転軸に対して回転かつ着脱自在に支持することにより構成したことを特徴とする第４発明とから成るものである。
〔作　用〕
　本願発明の素肌用ローラーの構成に備える複数の吸盤用凹部が，かかる吸盤用凹部を備えるローラーの回転に伴って素肌に吸着しつつ取れにくかった古い角質や，汚れを浮き上がらせ，
素肌の洗浄作用
新陳代謝作用
エ．「（第１実施例）
・・・
　第１図において１は楕円球状のローラー本体２の外周面に複数の半球状の吸盤用凹部３を配設することにより形成したローラーで，このローラーｌは把持部１０の回転軸１１に回転かつ着脱自在に装着されている。
　また，第２図に示すように
ローラー１のローラー本体２は
シリコーンであるジメチルポリシロキサンにて一体に形成されている。
　そして，前記回転軸１１の装入孔５には回転軸１１のツバ１２を係合する環状の係合孔６を連通して設けてある。
　さらに，前記把持部１０は平板状の
把持具１３の先端部１４に支持金具１５を突設し，
　そして，前記
回転軸１１は
支持金具１５に支持軸１６を取付けるとともにこの支持軸１６に中空状の回転ロッド１７を回転自在に装着することにより形成されている。
　また，前記支持軸１６は回転ロッド１７の内径より小径の外径から成る軸本体１８の先端部１９に環状の係合溝２０を穿設することにより一体に形成されるとともに前記回転ロッド１７は，支持軸１６の外径より大径の内径を有する中空状のロッド本体２１とこのロッド本体２１の先端部側に，外周方向間を三等分する位置に３本の長溝２３（第３図においては１本の長溝のみを示す）をツバ１２を突設した後端部側に向かって穿設することにより３枚の弾性片２２を設け，さらに，各弾性片２２の先端内周に支持軸１６の係合溝２０に係合する係合突起２４を突設することにより形成されている。
　尚，前記係合突起２４の突設部分間の内径は支持軸１６の外径より小径でかつ係合溝２０の外径より若干大径である。
　従って，前記
回転ロッド１７は
各弾性片２２の係合突起２４を
これを支持軸１６の環状の係合溝２０に係合することにより支持軸１６に対して回転自在に装着することができ，かつその抜脱は，各弾性片２２の係合突起２４の係合溝２０への係合により防止され，
　そして，前記構成から成る把持部１０の回転軸１１を
ローラー１の挿入口４より装入孔５中に装入し，かつツバ１２を装入孔５の係合孔６内に係合すること
　尚，ローラーｌの装入孔５の内径は回転軸１１の回転ロッド１７の外径より若干小径に形成されているがツバ１２の外径は装入孔５の内径より大径であって，前記
回転ロッド１７の
ツバ１２の係合孔６への係合は
ローラーｌの弾性
　また，上述してきた素肌用ローラー３０の構成中，
ローラーｌはジメチルシロキサンにて一体に形成したが，ジメチルシロキサン以外のシリコーン，
シリコーンにより一体に形成するか，その他の弾性を有する合成樹脂，合成ゴム等の弾性材料にて一体に形成することも可能である。
　又，前記支持軸１６，回転ロッド１７の成形材料についてはテフロン樹脂，硬質ポリエチレン等の合成樹脂によりそれぞれ一体に成形することができる。
　ローラー１の形状については，図示の楕円球状以外に円柱状，円錐状あるいはこれらに近似する形状等により形成することが可能であるとともに外周面に配設した吸盤用凹部３の形状については，図示の半球状以外に，半楕円球状，これらに近似する形状の凹部あるいは断面が多角形状等の任意の形状の凹部により形成して実施することが可能である。
　さらに，把持部１０の構成についても，回転軸１１の前記構成に限定されず，ローラー１を回転自在に支持し得るに足る他の公知の構成を採用しつつ実施できるとともに把持具１３には第１図に示す如く，先端部１４の中央部に手指の係合用凹部２６を設けることに加えて，把持具１３の形状を，第５図ａ，ｂに示す如く，断面において楕円状の柱状体とするか，あるいは第６図ａ，ｂに示す如く，先端部１４に至る程，細径にした丸棒状体とする等の構成を以て実施することが可能である。
　また，把持部１０に対してローラー１を回転かつ着脱自在に支持する構成については，図示の構成に限定されず，しかもローラー１は所期作用効果を得るにはこれを回転自在に支持することによっても実施可能である。
　すなわち，ローラー１の装入孔５に係合孔６を設けるとともに回転軸１１にツバ１２を突設する構成に換えて，回転軸１１のツバ１２を突設せず，かつローラー１の装入孔５の内径を回転軸１１の外径と略同一とし，装入孔５に対して回転軸１１をローラー１の弾性作用を利用して強制的に装入することによりローラーｌを回転軸１１に装着するか，あるいはローラーｌを回転軸１１に対して接着剤等の固着手段によって固着したり，さらには，その他の取り付け手段を介してローラー１を回転軸１１に取り付ける等の構成を挙げることができる。
　以上の構成から成る素肌用ローラー３０を使用する場合には，把持具１３を手にて把持した後，身体の素肌部分，例えば顔面にローラー１を回転せしめつつ押圧して使用するものである。
　しかして，ローラー１を回転せしめつつ吸盤用凹部３を配設された外周面が素肌に押圧されると各吸盤用凹部３が素肌に吸着しつつ回転することとなり，各吸盤用凹部３が素肌に吸着すると素肌の毛穴につまった皮脂や汚れを引き出したり，あるいは，古い角質や角質間の汚れを浮かせたり，肌表面に付着する汚れを浮かせて除去し易くし，前記ローラー１の使用に先き立って素肌にローションをつけてから使用することにより，洗浄をより効果的に行うことができるとともにローションの素肌への密着性が高まり保湿性がよく，マッサージ効果の向上を計ることができる。
　また，前記使用を入浴中等に行うことにより，血管を刺激して，新陳代謝の働きをよくし，血行を促し，皮フ細胞に栄養を与えるとともに皮脂腺の働きをスムーズにし，皮脂腺の状態をコントロールする等の効果が得られ，さらには素肌に対するマッサージにより，単なるマッサージ効果に加えて小ジワのばし効果等を得ることができるものである。
　特に，ローラー１をジメチルポリシロキサン，その他のシリコーンにより形成した場合には，耐薬品性，耐水性，耐久性に冨むとともに素肌に対して極めて怒触が良く，前記作用効果を，他の弾性材料に比較して効果的に得られるものである。」
（２ページ右下欄５行〜４ページ左下欄１３行）
オ．「（第２実施例）
　第７図乃至第１０図は本発明素肌用ローラーの第２実施例を示すもので，第７図は素肌用ローラーの分解斜視図，第８図は同組立平面図，第９図は一方のローラーの断面図，第１０図は回転軸における支持軸と回転ロッドの拡大断面図である。
　第２実施例の素肌用ローラー４０は，第７，８図に示される通り，把持部１００に対して左右一対のローラー１０１，１０２をそれぞれ回転かつ着脱自在に支持した構成と把持部１００の支持金具１５０に対して連結部１５１を介して左右一対の回転軸１１０，１１１を設けるとともに前記左右一対のローラー１０１，１０２のローラー本体１０３，１０４の形状をそれぞれ円錐状に形成した構成を前記第１実施例と異にするものである。
　しかして，把持部１００の支持金具１５０は１本のピンを把持具１３の先端部１４に突設して成り，連結部１５１は円盤状の板体１５２から成りかつこの板体１５２の左右両側部に左右一対の回転軸１１０，１１１を構成する支持軸１６０，１６１を突設して一体に形成し，さらに前記連結部１５１の板体１５２を支持金具１５０の先端部に一体的に固着することにより構成されている。
　また，左右一対のローラー１０１，１０２のローラー本体１０３，１０４の外周面には複数の半球状の吸盤用凹部３を配設するとともにローラー本体１０３，１０４の大径部側には，中央部に回転軸１１０，１１１の挿入口４を開口するとともにローラー本体１０３，１０４の中心部に，前記挿入口４に挿通する回転軸１１０，１１１の装入孔５を設けることによりジメチルポリシロキサンにて一体に形成され，かつ前記回転軸１１０，１１１の装入孔５には回転軸１１のツバ１２を係合する環状の係合孔６を連通して設けてある構成，並びに前記回転軸１１０，１１１を構成する支持軸１６０，１６１およびこれに回転自在に装着する回転ロッド１７の構成については第１実施例と同様の構成から成るもので，同一構成部分については同一番号を付して，その構成の説明を省略する。
　そこで，第７図示の各部分によって素肌用ローラー４０を組み立てる場合には，回転ロッド１７を第１実施例と同様の方法により，把持部１００の支持軸１６０，１６１に回転自在に装着して，回転軸１１０，１１１を構成した後，かかる回転軸１１０，１１１に対して左右ローラ１０１，１０２を第１実施例と同様の方法により挿入口４より装入孔５に装入するとともにツバ１２を係合孔６に係合して回転かつ着脱自在に装着することにより第８図示の素肌用ローラー４０を構成することができる。
　以上の構成から成る素肌用ローラー４０における構成上，左右一対のローラー１０ｌ，１０２，回転軸１１０，１１１，把持部１００の把持具１３の各構成の設計変更事項については第１実施例における各部の構成に対する設計変更事項をそのまま通用することが可能で，それらの具体的な指摘と説明は省略する。
　また，素肌用ローラー４０の使用方法並びに作用効果についても第１実施例における説明に準じた使用方法並びに作用効果が得られ，特に第２実施例の素肌用ローラー４０の構成から得られる使用上の特点は，必要に応じて左右一対のローラー１０１，１０２を両者同時にあるいはいずれか一方を使用する等の使用を可能ならしめ得る等の効果を有する。」
（４ページ右下欄２行〜５ページ左下欄７行）
カ．上記エ．の下線部の記載事項からみて，ローラー１はシリコーン等により形成された弾性材料からなることが理解できる。
キ．上記エ．の下線部の記載事項，及び，第１図，第３図，第４図の図示内容からみて，支持金具１５の先端部に取り付けた支持軸１６，及び，支持軸１６の基端から先端に回転可能に支持されたローラー１が理解できる。
ク．第１図〜第３図の図示内容からみて，ローラー１は基端側にのみ挿入口４を有し，ローラー１は，その内部に支持軸１６の先端が位置する非貫通状態で支持軸１６に回転ロッド１７を介して支持されていることが理解できる。
ケ．第３図からみて，回転ロッド１７からはツバ１２が突き出ていることが理解できる。
コ．上記エ．の下線部の記載事項，及び，第２図，第３図の図示内容からみて，ローラー１は内周にツバ１２に係合可能な係合孔６の基端側の部分を有し，係合孔６の基端側の部分はツバ１２の基端側に係止されることが理解できる。
　そうすると，第１実施例に着目することにより甲第１号証に記載された発明（以下，「引用発明」という。）は以下のとおりであると認められる。
「把持具１３の先端部１４に突設した支持金具１５と，支持金具１５の先端部に取り付けた支持軸１６と，
　前記支持軸１６の基端から先端に回転可能に支持されたローラー１とを備え，そのローラー１により身体の素肌に対する洗浄，マッサージ，小ジワのばし，新陳代謝作用等に使用する素肌用ローラー３０において，
　ローラー１は基端側のみ挿入口４を有し，ローラー１は，その内部に支持軸１６の先端が位置する非貫通状態で支持軸１６に回転ロッド１７を介して支持されており，
　回転ロッド１７は，ローラー１の挿入口４とは反対側となる各弾性片２２の係合突起２４が，支持軸１６の先端部１９に穿設された環状の係合溝２０に係合することにより回転ロッド１７の支持軸１６に対する抜脱は防止され，
　回転ロッド１７からは，ツバ１２が突き出ており，
　複数の吸盤用凹部を配設した弾性材料からなるローラー１は内周にツバ１２に係合可能な係合孔６の基端側の部分を有し，係合孔６の基端側の部分はツバ１２の基端側に係止される，
　素肌用ローラー３０。」
（２）甲第２号証の１
　本件特許の原出願前に頒布された刊行物である甲第２号証の１（米国特許出願公開第２０１０／０１９１１６１号明細書）には，「EXERCISE APPARATUS」に関し，図面とともに以下の事項が記載又は示されている（｛｝内は請求人による仮訳に準じたものである。）。
ア．「【０００１】The present invention relates generally to physical exercise and, in particular, to an exercise apparatus.」
｛【０００１】　本発明は，包括的には，体操，特にエクササイズ器具に関する。｝
イ．「【００１８】The exercise apparatus according to the present invention may be configured as any suitable type of exercise apparatus. For example, the apparatus may be configured as a musculoskeletal treatment apparatus such as,・・・」 
｛【００１８】本発明によるエクササイズ器具は，任意の好適なタイプのエクササイズ器具として構成することができる。例えば，器具は，例えば
マッサージ器具
ウ．「【００２０】Regardless of the particular type of apparatus which the exercise apparatus is configured as, the apparatus can be configured by a user to suit their particular needs and requirements. For example, if the exercise apparatus is configured as a massage apparatus, the massage apparatus may be configured in a plurality of different ways to suit different people or so that it can be used to massage a particular part of a person's body.」
｛【００２０】エクササイズ器具が構成される器具の特定のタイプに関係なく，器具は，それらの特定の必要性及び要件に合うようにユーザによって構成することができる。例えば，エクササイズ器具がマッサージ器具として構成される場合，
マッサージ器具は
身体の特定の部分をマッサージするために使用する
エ．「【００６８】FIG. 12  depicts a person using the exercise apparatus according to the first preferred embodiment of the present invention to simultaneously massage their upper thoracic spine and their upper trapezius and levator scapulae muscles;」
｛【００６８】【図１２】自身の上部胸椎並びに自身の上部僧帽筋及び肩甲挙筋を同時にマッサージするように，本発明の第１の好ましい実施形態によるエクササイズ器具を使用する人を示す図である。｝ 
オ．「【０１１６】Referring to  FIG. 17 , a rod module  100  of an exercise apparatus according to a second preferred embodiment of the present invention is substantially cylindrical in shape.」
｛【０１１６】図１７を参照すると，本発明の第２の好ましい実施形態によるエクササイズ器具のロッドモジュール１００が実質的に円筒形の形状である。｝
カ．「【０１１９】A plurality of regularly spaced and parallel circular openings  106  extend laterally through the rod module  100 . Openings  106  are perpendicular to the opening  105  which extends through the module  100 . Also, openings  106  intersect the opening  105 .」
｛【０１１９】複数の等間隔に離間した平行な円形開口１０６が，ロッドモジュール１００を通って横方向に延びる。開口１０６は，モジュール１００を通って延びる開口１０５に対して垂直である。また，開口１０６は開口１０５に交差する。｝
キ．「【０１３３】A medium spherical ball module  140  of the multi-functional exercise apparatus according to the second preferred embodiment of the present invention is depicted in  FIGS. 21 and 22 .」
｛【０１３３】
本発明の第２の好ましい実施形態による多機能エクササイズ器具の中間の球状のボールモジュール１４０が，図２１及び図２２に示されている。
ク．「【０１３５】Module  140  includes a circular opening  141  which extends completely through the module  140  such that it passes through the centre of the module  140 . In addition, it includes a circular opening  142  which is perpendicular to the opening  141 , and which only extends into the module  140  until it intersects the opening  141 .
【０１３６】Apart from their lengths, openings  141  and  142  are identical to each other. Each opening  141 ,  142  includes a narrower portion  143  which is recessed below a wider portion  144 . The narrower portion  143  includes four parallel and circumferentially spaced grooves  145  which extend into the narrower portion  143  from the wider portion  144 .」
｛【０１３５】モジュール１４０は，モジュール１４０の中心を通るようにモジュール１４０を貫通する円形開口１４１を含む。加えて，モジュール１４０は，開口１４１に対して垂直であり，開口１４１に交差するまでモジュール１４０内のみに延びる円形開口１４２を含む。
【０１３６】開口１４１及び１４２は，それらの長さとは別に，互いに同一である。各開口１４１，１４２は，より幅広の部分１４４の下に凹んだより幅狭の部分１４３を含む。より幅狭の部分１４３は，より幅広の部分１４４からより幅狭の部分１４３内に延びる４つの平行な周方向に離間した溝１４５を含む。｝
ケ．「【０１５１】FIG. 29  depicts a plug  200  which may be used to secure together two of the modules  100 ,  120 ,  130 ,  140  in any combination. Plug  200  is fabricated from plastic and includes a circular flange  201  which is located between two cylindrical portions  202 . A respective narrower cylindrical portion  203  extends from each of the cylindrical portions  202 . Each of the narrower portions  203  includes a pair of diametrically opposed and resilient latch arms  204 . Each latch arm  204  includes a protrusion  205  which is located at the end of the arm  204  and which extends outwardly from the plug  200 . A circular opening  206  extends from one end of the plug  200  through to the other end of the plug  200 .」
｛【０１５１】
図２９は，モジュール１００，１２０，１３０，１４０のうちの２つを任意の組み合わせで一緒に固定するために使用することができるプラグ２００を示している。プラグ２００は，プラスチックから製造され，２つの円筒部分２０２間に位置付けられる円形のフランジ２０１を含む。それぞれのより幅狭の円筒部分２０３が，円筒部分２０２のそれぞれから延びる。より幅狭の部分２０３のそれぞれは，１対の直径方向に対向する弾性的なラッチアーム２０４を含む。各ラッチアーム２０４は，アーム２０４の端に位置付けられ，プラグ２００から外方に延びる突起２０５を含む。円形開口２０６が，プラグ２００の一端からプラグ２００の他端まで延びる。
コ．「【０１５２】Two modules  100 ,  120 ,  130 ,  140  can be detachably secured together with the plug  200  by inserting each end of the plug  200  into a respective opening in each module. When the plug  200  is inserted into the openings, the narrower portions  203  of the plug  200  are received by the narrower portions of the openings, and the wider portions  202  of the plug  200  are received by the wider portions of the openings.」
｛【０１５２】
２つのモジュール１００，１２０，１３０，１４０を，プラグ２００の各端を各モジュールのそれぞれの開口に挿入することによって，プラグ２００と一緒に着脱可能に固定することができる。
サ．「【０１５３】As the plug  200  is inserted into the openings, the narrower portions of the openings press against the projection  205  of each latch arm  204  so that the resilient latch arms  204  are moved towards each other. Once the plug  200  has been fully inserted into the openings, the projections  205  are received by latch recesses in the openings so that the latch arms  204  spring out to their original positions and interlock with the latch recesses. The latch arms  204  and the latch recesses are therefore able to inhibit the plug  200  from being unintentionally withdrawn from the openings in the modules.」
｛【０１５３】
プラグ２００が開口に挿入されると，開口のより幅狭の部分が各ラッチアーム２０４の突起２０５に対して押圧されることで，弾性的なラッチアーム２０４が互いに向かって移動する。プラグ２００が開口に完全に挿入されると，突起２０５は，ラッチアーム２０４がそれらの元の位置に跳ねてラッチ凹部と噛み合うように開口のラッチ凹部によって受け入れられる。ラッチアーム２０４及びラッチ凹部はしたがって，プラグ２００がモジュールの開口から意図せず引き出されることを阻止することが可能である。
シ．「【０１５５】Although the latch arms  204  and the latch recesses are able to inhibit the plug  200  from being unintentionally withdrawn from the openings, the plug  200  is nevertheless still able to rotate relative to the openings even when the latch arms  204  and the latch recesses are interlocked with each other.」
｛【０１５５】
ラッチアーム２０４及びラッチ凹部は，プラグ２００が開口から意図せず引き出されることを阻止することが可能であるが，プラグ２００は，それにもかかわらず，ラッチアーム２０４及びラッチ凹部が互いに噛み合う場合であっても開口に対して依然として回転することが可能である。
ス．「【０１６０】FIG. 31  depicts a plug  220  which is similar to the plug  200 . For convenience, like features of the plugs  200 ,  220  have been referenced using like reference numerals.
【０１６１】Plug  220  differs from plug  200  in that its narrower cylindrical portions  203  are longer than those of the plug  200 . Also, the cylindrical portions  203  of the plug  220  each include a plurality of grooves  204 .」
｛【０１６０】図３１は，プラグ２００と同様のプラグ２２０を示している。便宜上，プラグ２００，２２０の同様の特徴は，同様の参照符号を用いて言及されている。
【０１６１】プラグ２２０は，そのより幅狭の円筒部分２０３がプラグ２００のより幅狭の円筒部分よりも長いという点でプラグ２００とは異なる。また，プラグ２２０の円筒部分２０３は複数の溝２０４をそれぞれ含む。
セ．「【０１６２】
Unlike the cylindrical portions  203  of the plug  200 , the cylindrical portions  203  of the plug  220  are long enough so that when they are inserted into an opening of one of the modules  100 ,  120 ,  130 ,  140 , they are able to block the other openings in the module which intersect that opening. Moreover, the additional length of the plug  220  means that it is better able to reinforce the apparatus which it forms a part of compared to the plug  200 .」
｛【０１６２】プラグ２００の円筒部分２０３とは異なり，プラグ２２０の円筒部分２０３は，モジュール１００，１２０，１３０，１４０のうちの１つの開口に挿入されるときに，その開口に交差するモジュールの他の開口を塞ぐことが可能であるように十分に長い。さらに，プラグ２２０の付加的な長さは，プラグ２００と比較して，一部を形成する器具を補強することがより良く可能であることを意味する。｝ 
ソ．「【０１６５】Referring to  FIG. 33 , a locking pin  240  of the multi-functional exercise apparatus according to the second preferred embodiment of the present invention includes an elongate cylindrical shaft  241 . Shaft  241  includes a first portion  242 , a second portion  243 , and a third portion  244 . A substantially flat plastic head  245  is over-moulded with the third portion  244  of the shaft  241 .
【０１６６】The diameter of the first portion  242  of the shaft  241  of the locking pin  240  is slightly less than the diameter of the openings which extend through the modules  100 ,  120 ,  130 ,  140  and the plugs  154 ,  200 ,  210 ,  220  and  230  so that the shaft  241  is able to be inserted through those openings.」
｛【０１６５】
図３３を参照すると，本発明の第２の好ましい実施形態による多機能エクササイズ器具のロックピン２４０が，細長い円筒シャフト２４１を含む。
【０１６６】
ロックピン２４０のシャフト２４１の第１の部分２４２の直径は，モジュール１００，１２０，１３０，１４０及びプラグ１５４，２００，２１０，２２０及び２３０を通って延びる開口の直径よりも僅かに小さいため，シャフト２４１は，それらの開口を通して挿入されることが可能である。
タ．「【０１６８】When the shaft  241  of the locking pin  240  is inserted into a plug  154 ,  200 ,  210 ,  220  or  230  which has itself been inserted into an opening in one of the modules  100 ,  120 ,  130 ,  140 , the shaft  241  is able to prevent the latch arm of the plug from disengaging with the latch recess of the module opening. By preventing the latch arm from disengaging with the latch recess, the locking pin  240  is able to prevent, or at least further inhibit, the plug from being unintentionally removed from the opening. The locking pin is therefore particularly suitable for use where the apparatus is subjected to relatively high torsion loads which may increase the risk of unintentional disengagement of the latch arm from the latch recess which could lead to the plug being unintentionally withdrawn from the module opening.
【０１６９】FIG. 34  depicts the locking pin  240  when its shaft  241  has been inserted into the medium ball module  140  through one end of the opening  141 , and into the opening  206  of the plug  200  which itself has been inserted into the other end of the opening  141  so that it is secured relative to the module  140 .」
｛【０１６８】
ロックピン２４０のシャフト２４１が，モジュール１００，１２０，１３０，１４０のうちの１つの開口にそれ自体が挿入されたプラグ１５４，２００，２１０，２２０又は２３０に挿入されると，シャフト２４１は，プラグのラッチアームがモジュールの開口のラッチ凹部と離脱することを防止することが可能である。
【０１６９】
図３４は，ロックピン２４０のシャフト２４１が，開口１４１の一端を通して中間のボールモジュール１４０に，及び，モジュール１４０に対して固定されるようにそれ自体が開口１４１の他端に挿入されているプラグ２００の開口２０６に挿入されているときのロックピン２４０を示している。
チ．「【０１７０】The protrusions  205  of the latch arms  204  of the plug  200  which are received by the opening  141  are each received by a latch recess  250  located inside the opening  141  so that the plug  200  is thereby inhibited from being withdrawn from the opening  141 . The shaft  241  of the locking pin  240  prevents the latch arms  204  from being pushed towards each other to remove the protrusions  205  from the latch recesses  250 . The latch arms  204  can only be moved in the aforementioned manner once the locking pin  240  is removed from the plug  200 .」
｛【０１７０】
開口１４１によって受け入れられるプラグ２００のラッチアーム２０４の突起２０５は，開口１４１内に位置付けられるラッチ凹部２５０によってそれぞれ受け入れられるため，プラグ２００はそれによって，開口１４１から引き出されることが阻止される。ロックピン２４０のシャフト２４１は，ラッチアーム２０４が互いに向かって押されて突起２０５をラッチ凹部２５０から取り外すことを防止する。
ツ．上記記載事項ケ．に，「図２９は，モジュール１００，１２０，１３０，１４０のうちの２つを任意の組み合わせで一緒に固定するために使用することができるプラグ２００を示している。」なる記載があり，かつ，上記記載事項サ．に，「プラグ２００が開口に挿入されると，開口のより幅狭の部分が各ラッチアーム２０４の突起２０５に対して押圧されることで，弾性的なラッチアーム２０４が互いに向かって移動する。プラグ２００が開口に完全に挿入されると，突起２０５は，ラッチアーム２０４がそれらの元の位置に跳ねてラッチ凹部と噛み合うように開口のラッチ凹部によって受け入れられる。」なる記載が，上記記載事項シ．に，「ラッチアーム２０４及びラッチ凹部が互いに噛み合う場合であっても開口に対して依然として回転することが可能である」なる記載があることより，モジュール１４０がプラグ２００に回転可能に支持されることが理解できる。
テ．上記記載事項ケ．には，「図２９は，・・・プラグ２００を示している。プラグ２００は，・・・円形のフランジ２０１を含む」なる記載があり，また，図２９を考慮するに，フランジ２０１が，ラッチアーム２０４の基端側にあることは明らかである。 
ト．上記記載事項ケ．には，「図２９は，・・・プラグ２００を示している。プラグ２００は，・・・２つの円筒部分２０２間に位置付けられる円形のフランジ２０１を含む。それぞれのより幅狭の円筒部分２０３が，円筒部分２０２のそれぞれから延びる。より幅狭の部分２０３のそれぞれは，１対の直径方向に対向する弾性的なラッチアーム２０４を含む。各ラッチアーム２０４は，アーム２０４の端に位置付けられ，プラグ２００から外方に延びる突起２０５を含む。」なる記載があり，また，図２９を考慮するに，ラッチアーム２０４の突起２０５は，先端側に向かうほどプラグ２００におけるモジュール１３０，１４０の回転中心との距離が短くなる斜面を有していることは明らかである。 
　よって，これらの記載から，ラッチアーム２０４の突起２０５は先端側に向かうほどプラグ２００におけるモジュール１４０の回転中心との距離が短くなる斜面を有することが理解できる。 
ナ．上記記載事項タ．に，「図３４は，ロックピン２４０のシャフト２４１が，開口１４１の一端を通して中間のボールモジュール１４０に，及び，モジュール１４０に対して固定されるようにそれ自体が開口１４１の他端に挿入されているプラグ２００の開口２０６に挿入されているときのロックピン２４０を示している。」なる記載が，上記記載事項チ．に，「開口１４１によって受け入れられるプラグ２００のラッチアーム２０４の突起２０５は，開口１４１内に位置付けられるラッチ凹部２５０によってそれぞれ受け入れられる」なる記載があり，また，図３４を考慮するに，モジュール１４０が，内周に，ラッチアーム２０４の突起２０５を受け入れるラッチ凹部２５０を有することが理解できる。 
ニ．上記記載事項サ．に，「プラグ２００が開口に完全に挿入されると，突起２０５は，ラッチアーム２０４がそれらの元の位置に跳ねてラッチ凹部と噛み合うように開口のラッチ凹部によって受け入れられる。ラッチアーム２０４及びラッチ凹部はしたがって，プラグ２００がモジュールの開口から意図せず引き出されることを阻止することが可能である。」とあり，ラッチアーム２０４の突起２０５と，ラッチ凹部２５０とが，噛み合うことが理解できる。 
ヌ．図３４によれば，モジュール１４０の内周側において，ラッチ凹部２５０の基端側が段差状となっており，その段差状部分が，ラッチアーム２０４の突起２０５とフランジ２０１との間に，配置されていることが看て取れる。よって，図３４より，モジュール１４０が，内周に段差部を有すること，及び，突起２０５とフランジ２０１との間に段差部が配置されることが理解できる。 
ネ．上記認定事項ニ．のとおり，ラッチアーム２０４の突起２０５とラッチ凹部２５０とは噛み合うものであり，かつ，上記認定事項ヌ．のとおり，ラッチ凹部２５０の基端側に段差部があることより，当該段差部は，突起２０５と係合可能であり，突起２０５の基端側に係止されるものとなっていることは明らかである。 
  
　上記記載事項ア．ないしチ．及び上記認定事項ツ．ないしネ．を，図面を参照しつつ技術常識を踏まえて整理すると，甲第２号証の１には，以下の事項（以下，「甲第２号証の１記載事項」という。）が記載されていると認められる。 
「プラグ２００を介して，モジュール１４０を回転可能に支持するマッサージ器具であって，
　プラグ２００は，外方に延びる突起２０５を含む弾性的なラッチアーム２０４を含むと共に，ラッチアーム２０４の基端側にフランジ２０１を有しており，突起２０５は，先端側に向かうほどプラグ２００におけるモジュール１４０の回転中心との距離が短くなる斜面を有し， 
　モジュール１４０は，内周に，ラッチアーム２０４の突起２０５の基端側に係止される段差部を有し，前記段差部は，前記突起２０５の基端側に係止されるとともに，前記突起２０５と前記フランジ２０１との間に配置される，マッサージ器具。」 
  
（３）甲第３号証
　本件特許の原出願前に頒布された刊行物である甲第３号証（登録実用新案第３０３６８９８号公報）には，「つぼ健康具」に関し，図面とともに以下の事項が記載又は示されている。
ア．「【０００１】
【考案の属する技術分野】
　本考案は，つぼを指圧したり，
マッサージしたり，
つぼ健康具に関し
イ．「【００１１】
【考案の実施の形態】
　以下，本考案の実施例を図面に基づいて説明する。
　図１は，本考案のつぼ健康具の一例を示す説明図で，同図（ａ）は平面図，同図（ｂ）は正面図，同図（ｃ）は底面図であり，図２は細部説明図である。
　先ず，図１に基づいて全体の構成を説明すると，１はつぼ健康具，２はその胴部，３は頭部，４は脚部，５及び６は磁石である。
　胴部２は，水平断面がほぼ円形の棒状体であり，両端部には，縮径されて滑らかな曲面２１，２２が形成されている。太さは手のひらで容易に把持しうる程度のものであればよい。
【００１２】
　頭部３は，ほぼ球状をなしており，前記胴部２の一方（図示例では上方）の端面に回転可能に設けられている。ここで，ほぼ球状とは，水平断面がほぼ円形，垂直断面がほぼ円形，楕円形又はこれに近い形状のものをいい，上部を一部平面状にしたものも含まれる。頭部３の直径が最も大きくなる回転円周上に，図示例では５個の磁石５が埋設されているが，磁石の個数はこれに限定されるものではない。
　また，脚部４は，水平断面がほぼ円形の棒状体であり，前記胴部の他方（図示例では下方）の端面に回転可能に設けられている。脚部の下端４４は縮径されて，ほぼ半球状に形成され，その先端部に磁石６が埋設されている。
【００１３】
　次に，図２に基づいて，細部構造を説明する。
　
頭部３を取り付ける胴部２の上端部には，凸部２３と，タッピングねじ３６を螺入するためのねじ穴２４が設けられ，脚部を取り付ける下端部には，凹部２５とタッピングねじ４６を螺入するためのねじ穴２６が設けられている。
 【００１４】
　頭部３には，中心軸と同心状に中空円筒状のブッシュ３０を装着する穴３３が下方に開口するよう穿設されている。穴３３の内径はブッシュ３０が圧入可能なようにブッシュ３０の外径とほぼ等しくするが，その下端開口部３４の内径はそれよりも少し大きくするのが好ましい。これは，胴部２の上方端面に設けられた凸部２３の外径がブッシュ３０の外径とほぼ等しいので，凸部２３とブッシュ３０とが接触状態になったときでも，頭部３の回転時に頭部３の下端３７が凸部２３に接触するのを防ぐためである。
　磁石５は，円柱状の基部５ｂに接着剤を付して前記穴３４に埋設され，接着される。そして，磁石５の先端は，ほぼ半球状をなし前記回転円周面から突出して指圧用の磁気突子５ａを形成する。
【００１５】
　頭部３の胴部２への取り付け構造は次のとおりである。
　
ブッシュ３０の中空孔３２にタッピングねじ３６が挿入され，タッピングねじ３６のねじ部３６ａが胴部２のねじ穴２４に螺入される。
ブッシュ３０の中空穴３２の内径はタッピングねじの外径よりもやや大きくしてあるので，頭部３はブッシュ３０とともにタッピングねじ３６の周りに回転可能に軸支される。
ウ．上記記載事項からみて，甲第３号証のつぼ健康具は，頭部３をタッピングねじ３６に回転可能に支持した器具であり，頭部３を用いて，マッサージを行う器具であることが理解できる。
　そして，上記記載事項及び図２の図示内容からみて，タッピングねじ３６は，基端において胴部２に螺合して抜け止め固定されていること，及びタッピングねじ３６の先端側に回転可能に支持された頭部３とを備えることが理解できる。
　
　そうすると，甲第３号証には，以下の事項が記載されているといえる。
「基端において胴部２に螺合して抜け止め固定されたタッピングねじ３６と，タッピングねじ３６の先端側に回転可能に支持された頭部３とを備え，その頭部３によりマッサージを行うつぼ健康具。」
（４）甲第４号証
　本件特許の原出願前に頒布された刊行物である甲第４号証（登録実用新案第３１６６０２号公報）には，「マッサージローラー」に関し，図面とともに以下の事項が記載又は示されている。 
ア．「【技術分野】
【０００１】
　本考案は，マッサージローラーの構造に関し，特にＹ字形のマッサージローラーの構造に関する。
【背景技術】
【０００２】
　中国医学では既に人体に分布し，各器官を反映するツボの存在を証明している。手や道具を使って人体にあるツボを押す，或いは人体の器官が痛みを感じる部分に対応するツボを押すことで，強く健康的な体を作り，
美容
の目的に達するため
ツボマッサージをする
イ．「【０００７】
　最良実施例として，各ローラーは接続部品，内柱，二つのベアリング，軸受及び，外カバーを具有し，
各ローラー３の接続部品３１は球状ヘッド２２を通じて互いに嵌合して固定する。
接続部品３１は
二つのベアリング３３と軸受３４を同時に接続部品３１の外側に套設する
二つのベアリング３３，外カバー３５及び内柱３２が回転可能の構造となる。
ウ．上記記載事項と図２，図４の図示内容からみて，接続部品３１は，軸受３４と二つのベアリング３３を介してローラー３を回転可能に支持している支持軸として機能し，各ローラー３の接続部品３１はハンドル２の一端の球状ヘッド２２に固定されることが理解できる。
　そうすると，甲第４号証には，以下の事項が記載されているといえる。
「ハンドル２の一端の球状ヘッド２２に接続部品３１を固定して，ローラー３を接続部品３１に回転可能に支持させたマッサージローラー。」
（５）甲第５号証
　本件特許の原出願前に頒布された甲第５号証（国際公開第２０１１／００４６２７号）には，「美容器」に関し，図面とともに以下の事項が記載又は示されている。
ア．「【技術分野】
【０００１】
　この発明は，回転可能なローラを人体上を転動させることにより，美肌効果等の美容効果を得る美容器に関する。」
イ．「【００１８】
　図１〜図３に示すように，この実施形態の美容器１１は，平面形状が略Ｙ字状をなすハンドル１２を備えており，このハンドル１２は，使用者の手によって把持される棒状の把持部１２ｂと，この把持部１２ｂの先端に形成された二叉部１２ａとを有している。ハンドル１２は，合成樹脂よりなる電気絶縁の芯材１３と，一対の外装カバー１４とから構成されている。外装カバー１４，１５は，合成樹脂材料より形成され，芯材１３の外周に被覆されて複数のネジ１６により同芯材１３に固定されている。外装カバー１４，１５の外表面には，導電金属メッキが施されている。ここで，外装カバー１４，１５の外壁は，ハンドル１２の導電部を構成している。
【００１９】
　図１及び図４に示されるように，
前記ハンドル１２の芯材１３において二叉部１２ａに対応する部分には，一対のローラ支持軸１７が設けられている。これらのローラ支持軸１７の基端部（図４の右側の端部）は芯材１３の中心部に形成された空間に嵌入され，同ローラ支持軸１７の先端部（図４の左側の端部）は，二叉部１２ａから突出している。
【００２０】
　図１及び図４に示すように，
前記両ローラ支持軸１７には，円筒状をなすローラ１８がそれぞれ各一対の軸受１９を介して回転可能に支持されている。
　そうすると，甲第５号証に以下の事項が記載されているといえる。
「ハンドル１２の二叉部１２ａに形成された空間に，ローラ支持軸１７の基端部を嵌入し，ローラ１８を前記二叉部１２ａから突出したローラ支持軸１７の先端部にそれぞれ一対の軸受１９を介して回転可能に支持された美容器。」
（６）甲第６号証
　甲第６号証（平成３０年（行ケ）第１００４８号準備書面（２））には，被請求人自身が本件特許発明１における回転体には「キャップ材２９」が含まれることを認めていることを示す記載がある。
（７）甲第８号証乃至甲第１０号証
（７−１）甲第８号証（実願平１−４３０８８号（実開平２−１３５０２６号）のマイクロフィルムには，以下の記載がある。
・「【実用新案登録請求の範囲】
１．ローラー（回転部）とその支持棒とより成り，ローラー表面を皮膚に圧接しつつ支持棒を操作することにより圧接個所を連続的に移動せしめ，以て皮膚にマツサージ効果を与える美容器具において，前記ローラーの内側に発熱機構を組込むことにより，使用時ローラーから赤外線を放射すること，およびまたは該ローラー表面の一部または全部に互いに導電接続した異なる標準単極電位を有する２種類の導電性鉱物の薄膜を，ローラー使用時に皮接する如く形成したことを特徴とする美容ローラー。」
・「［産業上の利用分野］
　本考案は肌にリフレッシュ効果を与える美容ローラーに関する。
［従来の技術］
　肌をマッサージすることによって皮膚の新陳代謝を活性化させ，皮膚のリフレッシュを促す美容術は古くから行われてきたが，近年特に女性向けにポータブルで使いやすい小型の美容ローラーが市販されている。この美容ローラーは，円筒状のローラー（内部に回転機構を含む）とその支持棒とから成り，ローラーの円筒面を皮膚に圧接しつつ支持棒を操作することによりローラーを連続的に往復移動させて皮膚をマッサージするものである。」
（７−２）甲第９号証（実願平２−４０３５０３号（実開平８−１５９号）のＣＤ−ＲＯＭ）には，以下の記載がある。
・「【実用新案登録請求の範囲】
【請求項１】  軸ハンドルの先端に磁性転動ローラを着脱自在に設けたことを特徴とする磁気転動式健康美容器具。」
・「【０００１】
【産業上の利用分野】
　本考案は，磁気転動式の健康美容器具に関するものである。
【０００２】
【従来の技術】
　従来，この種の美容ローラは，回転するローラ部分が金属製であり，しかもハンドルとローラは，回転可能に設けられているが，両者は分離できるものではなく非分離の状態で組み込まれているのが実情である。」
（７−３）甲第１０号証（実願平２−２６６０３号（実開平３−１１６８３６号）のマイクロフィルム）には，以下の記載がある。
・「【実用新案登録請求の範囲】
(1) 先端が丸みを帯びた多数の突起を有する金属製のローラーを，棒状の柄の一端に長さ方向に固着した軸に回転自在に取り付けたことを特徴とする美容ローラー。」
・「［産業上の利用分野］
　本考案は，顔面をはじめとする皮膚を活性化した美容効果をもたらすローラーに関する。」
（７−４）小括
　甲第８号証乃至甲第１０号証からみて，従来より回転体を用いて，ツボを刺激したり磁気の効果を期待するマッサージローラは，美容器であるとされている。
２．本件特許発明１と引用発明との対比判断
（１）本件特許発明１と引用発明とを対比する。
　引用発明の「把持具１３」は本件特許発明１の「ハンドル」に相当し，以下同様に，「ローラー１」は「回転体」に，「素肌用ローラー３０」は「美容器」に，「挿入口４」は「穴」に，「回転ロッド１７」は「軸受け部材」に，「係合孔６の基端側の部分」は「段差部」に，それぞれ相当する。
　引用発明における支持軸１６と支持金具１５は一体化されており，機能的にみれば当該「支持軸１６及び支持金具１５」は併せて本件特許発明１の「支持軸」に相当するといえる。
　引用発明の「ローラー１により身体の素肌に対する洗浄，マッサージ，小ジワのばし，新陳代謝作用等に使用する素肌用ローラー３０」は本件特許発明１の「回転体により身体に対して美容的作用を付与するようにした美容器」に相当する。
　引用発明の「把持具１３の先端部１４に突設した支持金具１５と，支持金具１５の先端部に取り付けた支持軸１６と」と，本件特許発明１の「基端においてハンドルに抜け止め固定された支持軸と」とは，「基端においてハンドルに固定された支持軸と」において共通する。
　引用発明の「支持軸１６の基端から先端」は，支持軸１６及び支持金具１５を一体としたものの先端側といえるから，引用発明の「前記支持軸１６の基端から先端に回転可能に支持されたローラー１とを備え」ることは，本件特許発明１の「前記支持軸の先端側に回転可能に支持された回転体とを備え」ることに相当する。
　引用発明の「回転ロッド１７は，ローラー１の挿入口４とは反対側となる各弾性片２２の係合突起２４が，支持軸１６の先端部１９に穿設された環状の係合溝２０に係合することにより回転ロッド１７の支持軸１６に対する抜脱は防止され」ることは，本件特許発明１の「軸受け部材は，前記回転体の穴とは反対側となる先端で支持軸に抜け止めされ」ることに相当する。
　引用発明の「回転ロッド１７からは，ツバ１２が突き出て」いることと，本件特許発明１の「前記軸受け部材からは弾性変形可能な係止爪が突き出」ていることとは，「前記軸受け部材からは突出部が突き出」ていることにおいて共通する。
　引用発明の「複数の吸盤用凹部を配設した弾性材料からなるローラー１は内周にツバ１２に係合可能な係合孔６の基端側の部分を有し，係合孔６の基端側の部分はツバ１２の基端側に係止される」ことと，本件特許発明１の「前記回転体は内周に前記係止爪に係合可能な段差部を有し，前記段差部は前記係止爪の前記基端側に係止されるとともに前記係止爪と前記鍔部との間に位置すること」とは，「前記回転体は，内周に前記突出部に係合可能な段差部を有し，前記段差部は前記突出部の基端側に係止される」ことにおいて共通する。
　以上のことから，両者は，
「基端においてハンドルに固定された支持軸と，
　前記支持軸の先端側に回転可能に支持された回転体とを備え，その回転体により身体に対して美容的作用を付与するようにした美容器において，
　前記回転体は基端側のみ穴を有し，回転体は，その内部に前記支持軸の先端が位置する非貫通状態で前記支持軸に軸受け部材を介して支持されており，
　前記軸受け部材は，前記回転体の穴とは反対側となる先端で支持軸に抜け止めされ，
　前記軸受け部材からは，突出部が突き出ており，
　前記回転体は内周に前記突出部に係合可能な段差部を有し，前記段差部は前記突出部の基端側に係止される，
　美容器。」
の点で一致し，以下の各点で相違する。
＜相違点１＞
　基端においてハンドルに固定される支持軸の「固定」について，本件特許発明１では，「抜け止め固定」されるのに対して，引用発明では，突設（固定）されているものの，抜け止めされているかは特定されていない点。
＜相違点２＞
　本件特許発明１では，「軸受け部材からは弾性変形可能な係止爪が突き出るとともに，軸受け部材は係止爪の基端側に鍔部を有しており，同係止爪は先端側に向かうほど軸受け部材における回転体の回転中心との距離が短くなる斜面を有し，前記回転体は内周に前記係止爪に係合可能な段差部を有し，前記段差部は前記係止爪の前記基端側に係止されるとともに前記係止爪と前記鍔部との間に位置する」のに対して，引用発明では，回転ロッド１７（軸受け部材）は，係止手段としてのツバ１２は備えるものの，ツバ１２が弾性変形可能か否かは不明であって，且つ，ツバ１２は「先端側に向かうほど軸受け部材における回転体の回転中心との距離が短くなる斜面を有」する「係止爪」ではなく，回転ロッド１７（軸受け部材）は「係止爪の基端側」の「鍔部」も有さず，「回転体は内周に前記係止爪に係合可能」ではなく，「係止爪の前記基端側に係止されるとともに前記係止爪と前記鍔部との間に位置する」「段差部」も備えない点。
（２）容易想到性の判断
（２−１）相違点２についての検討
　事案に鑑みて，相違点２について先に検討する。
ア．「１（２）」に記載したとおり，甲第２号証の１には，甲第２号証の１記載事項が記載されているといえる。
イ．甲第２号証の１のロックピン２４０は，そのシャフト２４１がプラグ２００に挿入されて，プラグのラッチアーム２０４がモジュールのラッチ凹部と離脱するのを防止するものであって（前記１（２）ソ．〜チ．），本件特許発明１の回転体に相当するモジュールを回転可能に支持するものではないから，これをもって本件特許発明１の「支持軸」に相当する部材ということはできない。
　そうすると，甲第２号証の１のプラグ２００は，フランジ２０１を有し，且つ，ラッチアーム２０４に突起２０５を有する点で，本件特許発明１の軸受け部材に類似する構成を有するものといい得るものの，段落【０１５１】，【０１５２】に記載されるように，プラグ２００は，それ自体が２つのモジュールを固定するものであって，軸と回転体との間に介在することで回転体を軸に対して回転自在に支持する軸受け部材として機能するものではない。
　また，甲第２号証の１には，ロックピン２４０を挿入することで，プラグ２００のラッチアーム２０４の突起２０５がモジュール１４０の開口のラッチ凹部から離脱するのを防止すること，モジュール１４０を取り外す際には，ロックピン２４０を取り外してからラッチアーム２０４の突起２０５のラッチ凹部との係合を解除し，モジュール１４０を取り外す必要があること（前記１（２）ソ．〜チ．），モジュール１４０の先端側には，ロックピン２４０を挿入するための開口が必要とされること（前記１（２）キ．ク．ソ．〜チ．）が記載されていることから，ロックピン２４０が挿入されるプラグ２００は，非貫通状態の回転体を支持するために用いることを想定しているとはいえない。
　してみれば，軸受け部材を用いて軸に対して非貫通状態の回転体を支持する際に，回転体の内面に段差部を設けるとともに，軸受け部材には当該段差部に係止する係合爪を用いる構成は，甲第２号証の１には，示されていない。
ウ．以上のとおり，甲第２号証の１のプラグ２００は，それ自体が２つのモジュールを固定するものであり，ロックピン２４０を挿入することで，プラグ２００のラッチアーム２０４の突起２０５がモジュール１４０の開口のラッチ凹部から離脱するのを防止するものであって，軸と回転体との間に介在することで，回転体を非貫通状態で軸に対して回転自在に支持する軸受け部材として機能するものではないから，そもそも引用発明の支持軸１６とローラー１との間に配置され，軸受け部材として機能する回転ロッド１７をプラグ２００に置き換える動機付けは存在しない。また，仮に，引用発明の支持軸１６に支持される回転ロッド１７をプラグ２００に置き換えた場合，プラグ２００の内部に支持軸１６が挿入された状態となることで，ロックピンを挿入した場合と同様に，プラグのラッチアームがラッチ凹部と離脱するのを防止するよう，ラッチアームの内方への移動が固定されてしまい，ローラー１を装着する際に，ラッチアームが意味をなさないこととなる。このため，引用発明の回転ロッド１７を，あえて，回転ロッド１７のツバ１２に対して複雑な構成であるラッチアームを有するプラグに置き換える動機付けはない。仮に，回転ロッド１７のツバ１２に甲第２号証の１のラッチアームを適用することができたとしても，さらに鍔を甲第２号証の１から適用した上で，ローラー１側にラッチアームと鍔の間との間の段差部を形成するような構成に変更する必要があるから，そのような構成に変更することにより，相違点２に係る本件特許発明１の発明特定事項とすることは，当業者といえども容易なことではない。
エ．以下の（ア）〜（ウ）のとおり，引用発明における回転ロッド１７のツバ１２の技術的な意義と，甲第２号証の１記載事項における突起２０５を含む弾性的なラッチアーム２０４の技術的な意義は全く異なっており，引用発明に甲第２号証の１記載事項における突起２０５を含む弾性的なラッチアーム２０４を適用する動機付けはなく，阻害要因も存在する。
（ア）引用発明における回転ロッド１７のツバ１２の技術的意義
　引用発明では，回転ロッド１７のツバ１２をローラー１の係合孔６の基端側の部分（段差部）に係止するには，弾性材料からなる弾性変形可能なローラー１を変形させればよく，回転ロッド１７のツバ１２は変形する必要がない。
　したがって，引用発明の回転ロッド１７のツバ１２は，それ自身が変形することなく，弾性可能なローラー１を係止できるという技術的な意義を有する。
（イ）甲第２号証の１記載事項における，突起２０５を含む弾性的なラッチアーム２０４の技術的意義
　モジュール１４０のラッチ凹部とプラグ２００の突起２０５を有するラッチアーム２０４との係止にあたって，モジュール１４０側は変形せず，モジュール１４０の開口１４１にプラグ２００を挿入する際にプラグ２００の突起２０５が干渉しないよう，突起２０５を含むラッチアーム２０４を弾性変形可能としたものである。
　すなわち，甲第２号証の１の係止構成は，モジュール１４０が変形しないことを前提とし，プラグ２００において突起２０５を含むラッチアーム２０４を弾性変形可能としたものである。
　したがって，甲第２号証の１における突起２０５を含む弾性的なラッチアーム２０４は，自らが弾性変形することにより，変形しないモジュール１４０の開口１４１，１４２内に，ラッチアーム２０４が形成されているプラグ２００を挿入し，ラッチ凹部に係止するという技術的意義を有する。
（ウ）引用発明への甲第２号証の１記載事項（突起２０５を含む弾性的なラッチアーム２０４）の適用が容易ではない具体的理由について
ａ．動機付けの不存在
　引用発明は，ローラー１の取り付け時に，ローラー１が弾性変形し，これに係止する回転ロッド１７のツバ１２が変形する必要がないのに対して，甲第２号証の１記載事項は，モジュール１４０の取り付け時に，モジュール１４０が変形せず，これに係止する突起２０５を含むラッチアーム２０４が弾性変形可能な構成としたものである。
　このため，引用発明の弾性変形可能なローラー１に係止するための構成として，甲第２号証の１記載事項の（変形しないモジュール１４０に係止するための構成である）突起２０５を含む弾性変形可能なラッチアーム２０４の構成を適用する動機付けは存在しない。
ｂ． 阻害要因の存在
（ａ）仮に，引用発明の回転ロッド１７のツバ１２に，甲第２号証の１記載事項の「突起２０５を含むラッチアーム２０４を弾性変形可能とした構成」を適用すると以下の問題点が存在し，その適用には阻害要因が存在することは明らかである。
（ｂ）まず，甲第２号証の１記載事項のプラグ２００におけるラッチアーム２０４の突起２０５は，モジュール１４０とプラグ２００との係止を目的としたものであり，ラッチアーム２０４が弾性変形可能となっているのは，ロックピン２４０を挿入する前に，変形しないモジュール１４０の開口１４１，１４２と，プラグ２００，２２０のラッチアーム２０４との干渉を防止するためである。
　そうすると，仮に，引用発明の回転ロッド１７のツバ１２に，甲第２号証の１記載事項の「突起２０５を含むラッチアーム２０４を弾性変形可能とした構成」を採用すると，ラッチアーム２０４の弾性はローラー１よりも柔らかく（変形しやすく）構成する必要がある。（逆に，ラッチアーム２０４の弾性をローラー１より硬く（変形しにくく）構成すれば，ラッチアーム２０４とローラー１とが接触した場合には，ローラー１が変形するため，ラッチアーム２０４を弾性変形可能に構成する意味がない。）
（ｃ）しかし，引用発明のローラー１は，それ自体が弾性変形可能であり，しかもその弾性は，ローラー１の表面に形成された吸盤用凹部３が素肌に吸着する（甲第１号証４ページ右上欄４〜末行）程度に柔らかいものである。
（ｄ）そして，このローラー１よりもさらに柔らかい（変形しやすい）ラッチアーム２０４を引用発明に設けても，ロックピン２４０が挿入される前においては，ローラー１に抜け方向の荷重が作用した場合には，ラッチアーム２０４は簡単に弾性変形し，あるいはローラー１自身の段差部（突起２０５に係止する部分）も弾性変形して，ローラー１は容易に突起２０５を乗り越えて回転ロッド１７から抜けやすくなる。
（ｅ）したがって，引用発明の回転ロッド１７に「突起２０５を有するラッチアーム２０４を弾性変形可能とした構成」を設けても，ロックピン２４０が挿入される前においては係止という機能を果たさないおそれがあることから，係止という機能を果たさないおそれがある構成を当業者が採用することはありえず，阻害要因が存在する。
オ．請求人の具体的主張に対する反論
（ア）動機付けについて
ａ．請求人は，相違点２につき，甲第２号証の１の係止構成を引用発明に適用する動機付けの理由として，甲第１号証に回転ロッド１７以外の他の取り付け手段を用いても良いとの記載があること，甲第２号証の１のプラグは，マッサージに用いる回転体を支持軸を中心に回転させるための部材であり，甲第１号証の回転ロッド１７と同様の用途に用いられること，また，非貫通の回転体に用いる点でも共通することから，組み合わせの動機付けがある旨主張する（審判請求書４０ページ１５行〜４１ページ９行，４２ページ４〜１３行）。
ｂ．しかし，甲第１号証に回転ロッド１７以外の他の取り付け手段を用いてもよいとの記載があるからといっても，引用発明のローラー１はそれ自体弾性変形可能な構成を必須とし，かつ回転ロッド１７のツバ１２はローラー１に係止する機能するものである。
ｃ．先に説明したとおり，弾性変形可能なローラー１に係止する部材（引用発明ではツバ１２）が弾性変形可能な必要はなく，むしろ係止部材が弾性変形可能となると，ローラー１の係止が機能しなくなるのであるから，他の取り付け手段として甲第２号証の１記載事項の弾性変形可能なラッチアーム２０４を採用する動機付けはない。
ｄ．また，甲第２号証の１の構成が，甲第１号証の回転ロッド１７と同様の用途に用いられることや，非貫通の回転体に用いる点について主張しているが，引用発明の弾性変形可能なローラー１の係止部材として，甲第２号証の１記載事項の「突起２０５を有するラッチアーム２０４を弾性変形可能とした構成」を採用する動機付けがないことに変わりはない。
ｅ．したがって，動機付けに関する請求人主張は失当であり，採用できない。
（イ）阻害要因について
ａ．請求人は，甲第１号証ではツバ１２がなくてもよいとされ，ローラー１が回転ロッド１７から抜けるか否かは，はめ合いや固着手段にも依存しているといえ，ツバ１２を設けなくてもローラー１を回転自在に取り付けることができるから，甲第２号証の１の突起２０５を採用してもローラーが抜けやすくなることはない等，阻害要因は存在しない旨主張する（審判請求書４１ページ１０行〜４２ページ２行，４２ページ１４〜２４行）。
ｂ．しかし，ツバ１２を設けなくてもよい，というのはツバ１２に換えてローラー１を回転ロッド１７から抜け止めすることができればよいという意味である。
　「２．（２）（２−１）エ（ウ）ｂ．」の「阻害要因の存在」において説明したとおり，回転ロッド１７のツバ１２に，甲第２号証の１の「突起２０５を有するラッチアーム２０４を弾性変形可能とした構成」を採用しても係止機能を果たさないおそれがあるため，そのような組み合わせに阻害要因が存在することは明らかである。
カ．相違点２のまとめ
　以上説明したとおり，軸受け部材を用いて軸に対して非貫通状態の回転体を支持する際に，回転体の内面に段差部を設けるとともに，軸受け部材には当該段差部に係止する係合爪を用いる構成が甲第２号証の１には開示されていることを認めるに足りるものではなく，引用発明の支持軸１６とローラー１との間に配置され，軸受け部材として機能する回転ロッド１７をプラグ２００に置き換える動機付けは存在しないし，引用発明の回転ロッド１７を，あえて，回転ロッド１７のツバ１２に対して複雑な構成であるラッチアームを有するプラグに置き換える動機付けはなく，さらに，引用発明に甲第２号証の１記載事項「外方に延びる突起２０５を含むラッチアーム２０４を弾性変形可能とした構成」を採用する動機付けはなく，むしろ阻害要因が存在する。
　したがって，引用発明に甲第２号証の１記載事項を適用することによって，相違点２に係る本件特許発明１の構成とすることは当業者にとって容易に想到し得ることとはいえない。
　また，他の証拠（甲第３号証乃至甲第５号証）を検討しても引用発明を相違点２に係る本件特許発明１の構成とすることは，当業者にとって容易に想到し得ることとはいえない。
（２−２）相違点１についての検討
　甲第１号証の３ページ右下欄には，把持部について，ローラー１を回転可能に支持し得るに足る他の公知例を採用できる旨が明記されている。　
　そして，甲第３号証には，前記１（３）で述べたとおり，「基端において胴部２に螺合して抜け止め固定されたタッピングねじ３６と，タッピングねじ３６の先端側に回転可能に支持された頭部３をとを備え，その頭部３によりマッサージを行うつぼ健康具。」が記載されている。
　甲第３号証に記載された事項の「胴部２」は本件特許発明１の「ハンドル」に相当し，以下同様に，「タッピングねじ３６」は「支持軸」に，「頭部３」は「回転体」にそれぞれ相当する。
　甲第３号証に記載された事項の「頭部３によりマッサージを行うつぼ健康具」は，甲第８号証から甲第１０号証を参照すると，従来より回転体を用いて，ツボを刺激したり磁気の効果を期待するマッサージローラは，美容器であるとされているから，本件特許発明１の「回転体により身体に美容的作用を付与するようにした美容器」に相当する。
　そうすると，甲第３号証には，「基端においてハンドルに抜け止め固定された支持軸と，前記支持軸の先端側に回転可能に支持された回転体とを備え，その回転体により身体に対して美容的作用を付与するようにした美容器。」が開示されているといえる。
　引用発明と甲第３号証に開示されたものは，「基端においてハンドルに固定された支持軸と．前記支持軸の先端側に回転可能に支持された回転体とを備え，その回転体を用いて身体に対してマッサージする美容器」において共通する上に，引用発明において支持軸がハンドルから抜けないようにすることは内在的な課題ともいえるから，引用発明に甲第３号証に開示された事項を適用して，上記相違点１における本件特許発明１の構成とすることは，当業者が容易になし得たことである。
（２−３）小括
　したがって，相違点２に係る本件特許発明１の構成とすることは当業者にとって容易に想到し得ることとはいえないから，本件特許発明１は，引用発明に甲第２号証の１記載事項，及び，甲第３号証ないし甲第５号証のいずれかに記載された事項を適用することにより，当業者が容易に想到し得たものではない。
　また，本件特許発明２は，本件特許発明１の発明特定事項を全て含み，さらに発明特定事項を付加した発明であるから，本件特許発明１と同様の理由により，当業者が容易に想到し得たものではない。
第５　むすび
　以上のとおりであるから，請求人の主張及び証拠方法によっては，本件特許発明の特許を無効とすることはできない。
　審判に関する費用については，特許法第１６９条第２項の規定で準用する民事訴訟法第６１条の規定により，請求人が負担すべきものとする。
　よって，結論のとおり審決する。